【手続補正書】
【提出日】平成19年9月18日(2007.9.18)
【手続補正１】
【補正対象書類名】明細書
【補正対象項目名】００７９
【補正方法】変更
【補正の内容】
【００７９】
また、このランプケース部材６ａには光源ランプ１の両側面に対応する形で開口部（第１開口部）６ｂ、及び（第２開口部）６ｃを設けている。この開口部６ｂに対面する形でランプ冷却ファン１５が配置される一方、開口部６ｃに対面する形で排気ファン１８が配置されている。即ち、光源ランプ１を挟むような形でランプ冷却ファン１５、排気ファン１８が配置されている。尚、前述した開口部６ｂ、及び開口部６ｃはランプ冷却ファン１５、及び排気ファン１８による風の流れを通過させる為の開口として構成している。またこのランプユニット、ランプケース部材６ａ、ランプ冷却ファン１５、排気ファン１８は、外装キャビネット２１、外装キャビネット蓋２２、ランプ蓋２８に対して所定の間隙を持ってケーシングされている。
【手続補正２】
【補正対象書類名】明細書
【補正対象項目名】００８１
【補正方法】変更
【補正の内容】
【００８１】
図３において、ランプ１及びその周辺を冷却する為にはランプ冷却ファン１５、及び排気ファン１８の２つのファンを回転させることで行なう。
【手続補正３】
【補正対象書類名】明細書
【補正対象項目名】００８２
【補正方法】変更
【補正の内容】
【００８２】
即ち、ランプ冷却ファン１５によりランプ１側に吹き付け風を送る。この吹き付け風はランプケース部材６ａの開口部６ｂを通過してランプ１の周囲を通過する第一の導風ルートＲ１と（この風のうちの一部はランプ１のリフレクター４２内の開口部に侵入してランプ発光管４１に当たりランプ発光管４１を冷却することになる。このランプ発光管４１の冷却の目的はランプ発光管４１の温度を一定に保ち、適正なランプの明るさを保つことにある）、ランプケース部材６ａの開口部６ｂを通過せず、ランプケース部材６ａと外装放熱板（外装ケース）２７との間隙１０１、及び、外装放熱板２７と外装キャビネット蓋２２との間隙、及びランプホルダー２と外装キャビネット２１との間隙１０３を通る、即ちランプ１に直接風が当たらないランプケースの外側を通過する第二の導風ルートＲ２に分割している。
【手続補正４】
【補正対象書類名】明細書
【補正対象項目名】００８３
【補正方法】変更
【補正の内容】
【００８３】
尚、第一の導風ルートＲ１と、第二の導風ルートＲ２のルート分割はランプケース部材６ａ、及びランプホルダー２自体の壁を利用することで構成している。
そして、この第一の導風ルートＲ１を通過した風は排気ファン１８の吸気力も受け、この風の流れによりランプケース部材６ａの開口部６ｃを通過し、側板２４に設けた排気口２４ａにより投射型画像表示装置外に排出する。一方、第二の導風ルートＲ２を通過した風は、排気ファン１８の吸気力での風の流れとランプ冷却ファン１５の吹き付け風による風の流れにより側板２４に設けた排気口２４ａにより投射型画像表示装置外に排出する。
即ちこの構成により、ランプ冷却ファン１５による吹き付け風による風速を排気ファン１８による吸気力による風の流れで助勢することで側板２４に設けた排気口２４ａ付近でも効率良く風の流れを作成して、投射型画像表示装置内のランプ１周辺部に熱のこもりが発生することなくスムースに熱風を投射型画像表示装置外に排出している。
【手続補正５】
【補正対象書類名】明細書
【補正対象項目名】００８６
【補正方法】変更
【補正の内容】
【００８６】
そこで本実施例では、排気ファン１８を追加したことでランプ冷却ファン１５の吹き付け風の風速を極力落とさずスムースな風の流れを作成し、この結果、熱のこもりが発生しないようにし、ランプ周辺の外装（筐体）部の高温化、及び排気口の高温化防止を効果的に行っている。
【手続補正６】
【補正対象書類名】明細書
【補正対象項目名】００８７
【補正方法】変更
【補正の内容】
【００８７】
次に、ランプ冷却ファン１５、及び排気ファン１８に軸流ファンを用いてランプ１の発光管１ａの温度の適正化、及びランプ周辺の外装部（外装キャビネット２１、外装キャビネット蓋２２）の高温化防止、及び排気口２４ａの高温化防止の全て満足させる為のファンの騒音値を測定してみた。尚、ランプ周辺の外装部（外装キャビネット２１、外装キャビネット蓋２２）の高温化防止、及び排気口２４ａの高温化防止とは、使用者がこの部分に触れた場合、不快感を感じさせない為の温度である。この温度は、実験によってランプ周辺の外装部（外装キャビネット２１、外装キャビネット蓋２２）の温度は６０℃以下、排気口２４ａの温度は７０℃以下とした。この結果、ランプ冷却ファン１５は、特にランプ１の発光管１ａの温度の適正化、及びランプ周辺の外装部（外装キャビネット２１、外装キャビネット蓋２２）の高温化防止に寄与することがわかり、この風量、風速を満足させる為のファン騒音値は３８ｄＢであった。
【手続補正７】
【補正対象書類名】明細書
【補正対象項目名】００８８
【補正方法】変更
【補正の内容】
【００８８】
一方、排気ファン１８は、当然ながら排気口２４ａの高温化防止に寄与しており、この風量、風速を満足させる為のファン騒音値は３６ｄＢであった（尚、本実施例の構成において排気口２４ａの温度を７０℃とする為の排気口２４ａ部での風速は２ｍ/ｓ以上が必要なことが実験でわかり、この風速を出す為のファン回転数での騒音値を測定した）。このファン２つの騒音の合成の計算式は周知の通り、10LOG (10^((ランプ冷却ファン１５のみの騒音)/10)+10^((排気ファン１８のみの騒音)/10))である為、計算結果として４０ｄＢとなった。
【手続補正８】
【補正対象書類名】明細書
【補正対象項目名】００８９
【補正方法】変更
【補正の内容】
【００８９】
次に、ランプ冷却ファン１５（軸流ファン）のみにてランプ１の発光管１ａの温度、及びランプ周辺の外装部（外装キャビネット２１、外装キャビネット蓋２２）の温度、及び排気口２４ａの温度を全て適正化する為のファンの騒音値を測定してみた（従来での構成でのファン騒音値測定）。
【手続補正９】
【補正対象書類名】明細書
【補正対象項目名】００９０
【補正方法】変更
【補正の内容】
【００９０】
その結果、ランプ１の発光管４１の温度の適正化、及びランプ周辺の外装部（外装キャビネット２１、外装キャビネット蓋２２）の温度６０℃には、ランプ冷却ファン１５、及び排気ファン１８を使用した場合と同様、ランプ冷却ファン１５としては３８．５ｄＢとほぼ同等の騒音値にて達成できることがわかったが、排気口２４ａの温度７０℃を達成するには前述した通り、排気口２４ａ部での風速２ｍ/ｓを出さなければならず、これを達成させる為には、ファンの高回転化が必要となってしまった（ランプ冷却ファン１５から排気口２４ａまでの距離が遠い為、排気口２４ａ部では風速が遅くなる）。この結果、排気口２４ａ部での風速２ｍ/ｓを達成する為の騒音値として４６ｄＢとなった。
【手続補正１０】
【補正対象書類名】明細書
【補正対象項目名】００９１
【補正方法】変更
【補正の内容】
【００９１】
従って、ランプ冷却ファン１５、及び排気ファン１８の２つを使用した方が騒音値として６ｄＢの効果があり、近年の低騒音化製品への対応に非常に有利で高品位な投射型画像表示装置を得ることができる。
【手続補正１１】
【補正対象書類名】明細書
【補正対象項目名】００９２
【補正方法】変更
【補正の内容】
【００９２】
さらに、ランプ１とランプケース部材６ａとの間隙にランプ放熱板（遮熱部材）１９を設けることで、ランプ１の輻射熱は極力ランプ放熱板（遮熱部材）１９にて遮断でき、外装キャビネット蓋２２にはランプ１の輻射熱を伝達しないように構成できる為、即ち、ランプ冷却ファン１５の吹き付け風の第二の導風ルートＲ２での冷たいままの風を流すことができるランプ輻射熱抑制効果と合わせて、ランプ放熱板（遮熱部材）１９の効果により、更なる外装部（筐体）温度の高温化を抑制している。
【手続補正１２】
【補正対象書類名】明細書
【補正対象項目名】００９４
【補正方法】変更
【補正の内容】
【００９４】
又、発光管４１からの光を所定の方向に集光するリフレクター４２を有するランプ１と、該ランプ１の周辺に配置されたランプケース部材６ａと、該リフレクター４２の外周面側に対して吹き付け風を送風する吹き付けファン１５と、該ランプ１の熱を排出する排気口２４ａと、吹き付けファン１５によるリフレクター４２の外周面への吹き付け風を吸い込むとともに排気口２４ａより風を排出する排気ファン１８を設ける一方、該吹き付けファン１５の風が通過する開口部６ｂと該排気ファン１８による風が通過する開口部６ｃを該ランプ１を挟む形でランプケース部材６ａに設け、該吹き付けファン１５から該排気ファン１８を経由して前記排気口２４ａに至る風を略一直線上（略一方向）に流すように各部材を構成（即ち略一方向配置）することにより、ファン２個でランプ１への吹き付け力、及び吸気力を作成し、ランプ１に吹き付けた風の風速を落とすことなく効率良く風の移動を作って熱風を排気口２４ａより排出し、かつこの風の流れが略一直線である為、風の抵抗を極力受けすに更に効率良く熱風が投射型画像表示装置内にこもることなく排気口２４ａの温度、及び外装部（筐体）温度を高温化せず、かつ低騒音化を図っている。
【手続補正１３】
【補正対象書類名】明細書
【補正対象項目名】００９５
【補正方法】変更
【補正の内容】
【００９５】
又、ランプ１と、該ランプ１の周辺に配置されたランプケース部材６ａと、該ランプ１に対して吹き付け風を送風する吹き付けファン１５と、吹き付けファンの吹き込み風を吸い込む排気ファン１８と、該排気ファン１８による風を排出する排気口２４ａと、を備える一方、吹き付けファン１５による風が該ランプ１、及び該排気ファン１８を経由して該排気口２４ａより排出される第一の導風ルートＲ１と、該吹き付けファン１５による風が該ランプ１の周囲を経由せずに該排気口２４ａより排出される第二の導風ルートＲ２を設けることにより、ファン２個でランプ１への吹き付け力、及び吸気力を作成し、ランプ１に吹き付けた風の風速を落とすことなく効率良く風の移動を作って熱風を排気口２４ａより排出し、これにより熱風が投射型画像表示装置内にこもることなく外装部（筐体）温度、及び排気口２４ａ温度が高温とならないようにしている。
【手続補正１４】
【補正対象書類名】明細書
【補正対象項目名】００９６
【補正方法】変更
【補正の内容】
【００９６】
又ファン２個で作る風の流れをランプ１に直接当たる流路と、ランプ１に直接当たらない流路とに分割し、ランプ１に直接当たらない風（冷たいままの風）を外装部（筐体）２１、２２の内側周辺を通過させることで外装部（筐体）に伝達されるランプ輻射熱を極限まで抑制することができ、かつこの状態をファン２個にて風速を落とすことなく熱の運び関係（熱のこもりを発生させない風の流れ条件）を維持している。これにより熱風が投射型画像表示装置内にこもることなく排気口２４ａの温度、及び外装部（筐体）温度が高温にならず、かつ低騒音化を図っている。
【手続補正１５】
【補正対象書類名】明細書
【補正対象項目名】００９７
【補正方法】変更
【補正の内容】
【００９７】
又、ランプケース部材６ａを覆う外装ケース（外装部）２２を設け、第二の導風ルートＲ２を該ランプケース部材６ａと該外装ケース２２との間隙に設けて、ファン２個で作る風の流れをランプ１に直接当たる流路と、ランプ１に直接当たらない流路とに分割する構成を従来から配置されているランプケース部材６ａ、またはランプホルダー２で行なうことにより、新規に流路分割部材を設けることなくスペース的、製作的にも優れ、かつ排気口２４ａの温度、及び外装部（筐体）温度が高温とならないようにしている。
【手続補正１６】
【補正対象書類名】明細書
【補正対象項目名】００９８
【補正方法】変更
【補正の内容】
【００９８】
又、ランプ１とランプケース部材６ａとの間隙に遮熱部材１９を設けることにより、ランプ１からの熱は極力、遮熱部材１９にて遮断でき、外装部（筐体）２２にはランプ１からの輻射熱を伝達しないように構成している。
【手続補正１７】
【補正対象書類名】明細書
【補正対象項目名】００９９
【補正方法】変更
【補正の内容】
【００９９】
これによりランプ１に直接当たらない風（冷たいままの風）を外装部（筐体）２２の内側周辺を通過させることでの外装部（筐体）２２に伝達されるランプ輻射熱を抑制することができ、更に遮熱部材１９により確実に外装部（筐体）２２温度が高温にならないようにしている。
【手続補正１８】
【補正対象書類名】明細書
【補正対象項目名】０１０１
【補正方法】変更
【補正の内容】
【０１０１】
１              光源ランプ
２              ランプホルダー
３              防爆ガラス
４              ガラス押さえ
５              投射レンズ鏡筒
６              光学ボックス
６ａ            ランプケース部材
６ｂ及び６ｃ    開口部
７              光学ボックス蓋
８              電源
９              電源フィルタ
１０            バラスト電源
１１            回路基板
１２            光学冷却ファン
１３            ファンダクト
１４            ファン保持台
１５            ランプ冷却ファン（吹き付けファン）
１６            ファン押さえ板
１７            電源用冷却ファン
１８            排気ファン
１９            ランプ放熱板（遮熱部材）
２０            ランプ排気遮光マスク
２１            外装キャビネット
２２            外装キャビネット蓋（外装ケース）
２３            側板Ａ
２４            側板Ｂ
２４ａ          排気口
２５            光学素子冷却ファン
２６            インターフェース補強板
２７            外装放熱板
２８            ランプ蓋
２９            セット調整脚
４１            ランプ発光管（光源）
４２            リフレクター